(57)【特許請求の範囲】
【請求項１】
景品を載置したフィールド上を移動可能なクレーンキャッチャーを備え、プレイヤの操作により前記クレーンキャッチャーを移動させて前記フィールド上の景品を掴み、景品払い出し口に掴んだ景品を落下させるクレーンゲーム機において、
クレーンゲーム機の筐体天井から下部に突出し、その先端部に前記クレーンキャッチャーを支持する支持部の途中に枠体を取り付け、
前記枠体に設けた係止部にフォトフレーム，小形液晶モニタまたは景品を係止し、前記フォトフレーム，小形液晶モニタまたは景品を交換可能に構成したことを特徴とするクレーンゲーム機。
【請求項２】
景品を載置したフィールド上を移動可能なクレーンキャッチャーを備え、プレイヤの操作により前記クレーンキャッチャーを移動させて前記フィールド上の景品を掴み、景品払い出し口に掴んだ景品を落下させるクレーンゲーム機において、
クレーンゲーム機の筐体天井から下部に突出し、その先端部に前記クレーンキャッチャーを支持する支持部の途中に透明筒ケースを縦に２分割してなる透明筒ケース半分の一方を取り付け、
残りの透明筒ケース半分を前記一方の透明筒ケース半分の縦断面に係止することにより前記支持部に対し透明筒ケースを挟み込むように固定し、
前記固定した透明筒ケースに景品または光源を入れ、前記透明筒ケース半分を取り外すことにより前記景品または光源を入れ替え可能に構成したことを特徴とするクレーンゲーム機。
【発明の詳細な説明】
【技術分野】
【０００１】
本発明は、景品を載置したプレイフィールド上を移動可能なクレーンキャッチャーを備え、プレイヤの操作により前記クレーンキャッチャーを移動させて前記フィールドに搭載された景品を掴み、景品払い出し口に掴んだ景品を落下させるクレーンゲーム機、さらに詳しく言えば、クレーンゲーム機のＰＯＰ（ＰＯＩＮＴ  ＯＦ  ＰＵＲＣＨＡＳＥ  ＡＤＶＥＲＴＩＳＩＮＧ）表示装置に関する。
【背景技術】
【０００２】
クレーンゲーム機が広く普及し、実施されている。
従来のクレーンゲーム機においてクレーンキャッチャーは景品を掴む目的で設けられたものであり、景品を掴む目的以外に付加的な機能として景品を取りやすくするための機能を有するものが存在する。
【０００３】
これは特許文献１に開示されているようにクレーンキャッチャーを開閉する基軸付近に鏡を４５°傾けて設け、クレーンキャッチャーで掴もうとする対象の景品の上部をプレイヤに見えるようにしたものである。プレイヤはクレーンキャッチャーをより効率的に用いることができる。
【特許文献１】特開平７−２１３７３２号公報
【発明の開示】
【発明が解決しようとする課題】
【０００４】
このように従来のクレーンキャッチャーを含む支持部分は本来の目的以外には上記のような機構を付したものであるが、他の機能が付されるものは存在しなかった。
なおクレーンキャッチャーを含む支持部分はプレイヤの視界に入り易い部位である。
本発明は従来にない機能をクレーンキャッチャーの支持部に設けたもので、その目的は、クレーンキャッチャーの支持部にＰＯＰ機能を備えたクレーンゲーム機を提供することにある。
【課題を解決するための手段】
【０００５】
前記目的を達成するために本発明の請求項１は、景品を載置したフィールド上を移動可能なクレーンキャッチャーを備え、プレイヤの操作により前記クレーンキャッチャーを移動させて前記フィールド上の景品を掴み、景品払い出し口に掴んだ景品を落下させるクレーンゲーム機において、クレーンゲーム機の筐体天井から下部に突出し、その先端部に前記クレーンキャッチャーを支持する支持部の途中に枠体を取り付け、前記枠体に設けた係止部にフォトフレーム，小形液晶モニタまたは景品を係止し、前記フォトフレーム，小形液晶モニタまたは景品を交換可能に構成したことを特徴とする。
本発明の請求項２は景品を載置したフィールド上を移動可能なクレーンキャッチャーを備え、プレイヤの操作により前記クレーンキャッチャーを移動させて前記フィールド上の景品を掴み、景品払い出し口に掴んだ景品を落下させるクレーンゲーム機において、クレーンゲーム機の筐体天井から下部に突出し、その先端部に前記クレーンキャッチャーを支持する支持部の途中に透明筒ケースを縦に２分割してなる透明筒ケース半分の一方を取り付け、残りの透明筒ケース半分を前記一方の透明筒ケース半分の縦断面に係止することにより前記支持部に対し透明筒ケースを挟み込むように固定し、前記固定した透明筒ケースに景品または光源を入れ、前記透明筒ケース半分を取り外すことにより前記景品または光源を入れ替え可能に構成したことを特徴とする。
【発明の効果】
【０００６】
上記構成によれば、従来有効に活用されなかったアーム部を利用できる。キャッチャー部に入れられたＰＯＰより目立たせることができる。液晶モニタを取り付ければ、より表現力の高い広告効果を期待できる。店舗毎に他の店舗とクレーンゲーム機の差別化を行え、店毎のオリジナルティのあるクレーンゲーム機を実現できる。キャッチャー部に回転機能を有するものであれば、より有効的である。
【発明を実施するための最良の形態】
【０００７】
以下、図面を参照して本発明をさらに詳しく説明する。
図１は本発明によるＰＯＰ機能を備えたクレーンゲーム機の外観を示す斜視図である。  クレーンゲーム機１の筐体天井に伸縮ブーム１５，１６の一端が取り付けられ、その下端にクレーンキャッチャー２，３が取り付けられている。クレーンキャッチャー２，３の伸縮ブームはプレイヤの操作によって図示しない縦横移動駆動機構で横方向および縦方向に移動可能である。プレイヤが縦横方向の位置を決定すると、クレーンキャッチャー２，３の伸縮ブームは伸び、プレイフィールド９に載置されている景品１４をアーム２ａ，２ｂ，３ａ，３ｂで掴む動作に進行する。
クレーンゲーム機１のプレイフィールド９は前面および側面に設けられている透明板８により仕切られており、プレイヤはクレーンキャッチャー２，３の位置や積み重なった景品１４の位置関係を各角度から確認することができる。
【０００８】
クレーンゲーム機１筐体の前面側の操作パネル６に横移動と縦移動の操作ボタン，横移動と縦移動などの支援ボタンおよびコイン投入口などが設けられている。また、操作パネル６の下部にコイン返却口７が、操作パネル６の側部下部に景品取り出し口５が設けられている。クレーンキャッチャー２，３はプレイヤの操作によって水平方向の位置決めがなされ、伸びて下降し景品を掴む動作をした後は、縮んで上昇し景品払い出し口４の位置まで移動し、アーム２ａ，２ｂ，３ａ，３ｂを開き、元の位置に復帰する。クレーンキャッチャー２，３が景品を掴んでいれば、景品は景品払い出し口４に落下し、景品取り出し口５より払い出される。
【０００９】
クレーンキャッチャー２の伸縮ブーム（支持部）１５に透明ボトルケース１３が設けられている。この中にＰＯＰや光源（電球類）が収容されており、プレイヤはクレーンキャッチャー２を操作することにより自然な形でこの透明ボトルケース１３の中を視認することができる。また、クレーンキャッチャー３の伸縮ブーム（支持部）１６にフォトフレーム１１が掛けられている。プレイヤはクレーンキャッチャー３を操作することにより上記と同様自然な形でこのフォトフレーム１１を見ることとなる。
【００１０】
図２Ａは本発明によるＰＯＰ機能を備えたクレーンゲーム機の第１の実施の形態を説明するための図である。
アーム３ａ，３ｂを有するクレーンキャッチャー３を支持する伸縮ブーム１６の最も下側のブーム部分に枠体１２が取り付けられている。枠体１２の側面にフック１２ａが植設されている。写真が表示されている四角形状板状のフォトフレーム１１の裏面にはフック１２ａに係止するための係止部（図示されていない）を有する。この係止部をフック１２ａに引っかけることにより伸縮ブーム１６にフォトフレーム１１を取り付けることができる。
図２Ｂにこのフォトフレーム１１を取り付けた状態を示す。フォトフレーム１１ではなく小形液晶モニタを取り付け、小形液晶モニタに種々の画像を表示させることも可能である。また、フック１２ａに景品の現物を引っ掛けることも可能である。これらＰＯＰ取り付け対象は容易に交換可能である。
【００１１】
図３Ａは本発明によるＰＯＰ機能を備えたクレーンゲーム機の第２の実施の形態を説明するための図である。
アーム２ａ，２ｂを有するクレーンキャッチャー２を支持する伸縮ブーム１５の最も下側のブーム部分に透明ボトルケース１３を縦に２分割した半体１３ａが取り付けられている。半体１３ａの分割面の中央には貫通孔を形成するための半貫通孔１３０ａが設けられており、この半貫通孔１３０ａに伸縮ブーム１５を収容するような取り付け状態となる。この透明ボトルケース１３の残りの半体１３ｂの分割面を半体１３ａの分割面に合わせて取り付け、半貫通孔１３０ａと半貫通孔１３０ｂを合致させることにより、透明ボトルケース１３が完成し伸縮ブーム１５に固定される。
図３Ｂにこの透明ボトルケース１３を取り付けた状態を示す。
透明ボトルケース１３にＰＯＰや景品の現物，さらには光源などを入れることができる。透明ボトルケース１３内のＰＯＰ等の交換は、透明ボトルケース半体１３ｂを取り外すことにより容易に行うことができる。
透明ボトルケースはこの例では透明円筒ケースについて説明したが、透明角筒ケースであってもよい。
【産業上の利用可能性】
【００１２】
景品を収容したプレイフィールド上を移動可能なクレーンキャッチャーを備え、プレイヤの操作により前記クレーンキャッチャーを移動させて前記フィールドに搭載された景品を掴み、景品払い出し口に掴んだ景品を落下させるクレーンゲーム機である。
【図面の簡単な説明】
【００１３】
【図１】本発明によるＰＯＰ機能を備えたクレーンゲーム機の外観を示す斜視図である。
【図２Ａ】本発明によるＰＯＰ機能を備えたクレーンゲーム機の第１の実施の形態を説明するための図である。
【図２Ｂ】第１の実施の形態のＰＯＰ機能を備えたクレーンキャッチャーの外観図である。
【図３Ａ】本発明によるＰＯＰ機能を備えたクレーンゲーム機の第２の実施の形態を説明するための図である。
【図３Ｂ】第２の実施の形態のＰＯＰ機能を備えたクレーンキャッチャーの外観図である。
【符号の説明】
【００１４】
１  クレーンゲーム機
２，３  クレーンキャッチャー
４  景品払い出し口
５  景品取り出し口
６  操作パネル
７  コイン返却口
８  透明板
９  プレイフィールド
１１  フォトフレーム
１２  枠体
１３  透明ボトルケース
１４  景品
１５，１６  伸縮ブーム（支持部）
【図１】
0005191277.tif 000002
【図２Ａ】
0005191277.tif 000003
【図２Ｂ】
0005191277.tif 000004
【図３Ａ】
0005191277.tif 000005
【図３Ｂ】
0005191277.tif 000006